(57)【要約】【課題】ヒール部分が高く接地面積が極端に小さいハイヒールであっても、ラックに安定性よく載置して収容することができるシューズラックを提供する。【解決手段】設置面に立設された基体２の複数のラック３に靴を個々に載置して格納するシューズラック１を前提とし、基体２に、上下方向等間隔おきに前後方向へ延びる棒材２３を備え、各ラック３に、各棒材２３に係止された基端より離反する方向へ先端が延びる前後一対のラック片３１，３１を備える。ハイヒール１２，１３を収容する際、靴底の前部とヒール部分１２１，１３１直前の後部寄り部分との間にヒール部分１２１，１３１により存在する高低差に適した１段違い又は２段違いの棒材２３，２３に対し前後一対のラック片３１，３１を互いの前後方向の間隔を自在に選定した状態で係止し、それぞれのハイヒール１２，１３をヒール部分１２１，１３１による高低差が選定された状態で収容している。【選択図】図９
2016106980.tif 000002
【特許請求の範囲】
【請求項１】
設置面に立設された基体に対し取り付けられる複数のラックに靴を個々に載置して格納するようにしたシューズラックであって、
前記基体は、上下方向に予め設定された間隔おきに前後方向へ延びる複数の棒材を備えているとともに、
前記各ラックは、基端が前記各棒材に係止されて当該各棒材から離反する方向へ先端が延びかつ左右の靴を載置する前後一対のアーム状のラック片を備えており、
前記各ラック片のうちの前後一対のラック片は、左右一対の靴の靴底の前部と、左右一対の靴のヒール部分又はヒール直前の後部寄り部分とをそれぞれ載置するように、前記各棒材に対し互いの前後方向での位置及び上下方向の高低差が自在に選定された状態で係止されていることを特徴とするシューズラック。
【請求項２】
前記各ラック片のうちの前後一対のラック片は、左右一対のブーツの胴部を前後双方から包持する包持片としても使用可能とされ、前記各棒材に対し互いの前後方向の間隔が自在に選定された状態で係止されていることを特徴とするシューズラック。
【請求項３】
前記基体は、前後方向で互いに対向する前後一対の対向片を備え、
前記各棒材は、当該各棒材に対して前記各ラック片の基端が左右両側方からそれぞれ係止されるように、前記前後の対向片同士の間に配置されている請求項１又は請求項２に記載のシューズラック。
【請求項４】
前記各ラック片の基端の上下両位置には、前記各棒材のうちの上下の棒材に対し上方から係止する前後一対の係止フックがそれぞれ設けられており、
前記各ラック片の基端の上下両位置における前後の係止フック同士の間隔は、前記各棒材のうちの単一の棒材に対し前記基体の左右方向の一方から係止された前記ラック片の前後の係止フック同士の間に前記基体の左右方向の他方からの他のラック片の前後のうちのいずれか一方の係止フックが係止されるように設定されている請求項１〜請求項３のいずれか１つに記載のシューズラック。
【請求項５】
前記前後一対のラック片は、その先端において互いに向き合う方向に湾曲する湾曲部を備えている請求項１〜請求項４のいずれか１つに記載のシューズラック。
【発明の詳細な説明】
【技術分野】
【０００１】
本発明は、ヒール部分の高いハイヒールなどのように接地面積が極端に小さい靴であっても安定性よく載置して収容することが可能なシューズラックに関する。
【背景技術】
【０００２】
従来より、シューズラックとしては、上下方向に予め設定された間隔おきに設置された複数の棚に、丈の長いブーツの胴部を挿通可能な穴を複数形成するとともに、その各穴にそれぞれ繋がってブーツの胴部を前後方向へ出入可能とする切欠部を形成したものが知られている（特許文献１参照）。
【０００３】
このものによれば、各棚の上に丈の低い靴を載置して収容することが可能となる上、胴部を棚の穴に挿通したブーツを床面又は下側の棚に載置して立てた状態で保持して収容することが可能となり、加えて、切欠部を介して胴部を棚の穴まで通してブーツを収容することも可能となる。
【先行技術文献】
【特許文献】
【０００４】
【特許文献１】特開２０１０−２７３７６０号公報
【発明の概要】
【発明が解決しようとする課題】
【０００５】
ところが、前記従来のものでは、棚にブーツの胴部を上下方向へ挿通するための穴や前後方向へ出入可能とするための切欠部が形成されているため、靴の載置面積が非常に小さなものとなる。このため、接地面積が極端に小さい靴、例えばヒール部分の高いハイヒールなどの靴では、載置して収容した際の安定性が非常に悪いものとなってしまう。
【０００６】
本発明は、かかる点に鑑みてなされたものであり、その目的とするところは、ヒール部分が高く接地面積が極端に小さい靴であっても、安定性よく載置して収容することができるシューズラックを提供することにある。
【課題を解決するための手段】
【０００７】
前記目的を達成するため、本発明では、設置面に立設された基体に対し取り付けられる複数のラックに靴を個々に載置して格納するようにしたシューズラックを前提とする。また、前記基体に、上下方向に予め設定された間隔おきに前後方向へ延びる複数の棒材を備えているとともに、前記各ラックに、基端が前記各棒材に係止されて当該各棒材から離反する方向へ先端が延びかつ左右の靴を載置する前後一対のアーム状のラック片を備えている。そして、前記各ラック片のうちの前後一対のラック片を、左右一対の靴の靴底の前部と、左右一対の靴のヒール部分又はヒール部分直前の後部寄り部分とをそれぞれ載置するように、前記各棒材に対し互いの前後方向での位置及び上下方向の高低差が自在に選定された状態で係止することを特徴としている。
【０００８】
また、前記各ラック片のうちの前後一対のラック片を、左右のブーツの胴部を前後双方から包持する包持片としても使用可能とし、前記各棒材に対し互いの前後方向の間隔が自在に選定された状態で係止していてもよい。
【０００９】
また、前記基体に、前後方向で互いに対向する前後一対の対向片を備え、前記各棒材を、当該各棒材に対して前記各ラック片の基端が左右両側方からそれぞれ係止されるように、前記前後の対向片同士の間に配置することがこのましい。
【００１０】
また、前記各ラック片の基端の上下両位置に、前記各棒材のうちの上下の棒材に対し上方から係止する前後一対の係止フックをそれぞれ設ける。そして、前記各ラック片の基端の上下両位置における前後の係止フック同士の間隔を、前記各棒材のうちの単一の棒材に対し前記基体の左右方向の一方から係止された前記ラック片の前後の係止フック同士の間に前記基体の左右方向の他方からの他のラック片の前後のうちのいずれか一方の係止フックが係止されるように設定することがこのましい。
【００１１】
更に、前記前後一対のラック片に、その先端において互いに向き合う方向に湾曲する湾曲部を備えることがこのましい。
【発明の効果】
【００１２】
以上、要するに、靴底の前部とヒール部分とに高低差がない短靴のような靴であれば、靴底の前部とヒール部分とを載置する前後一対のラック片を、基体の上下方向に予め設定された間隔おきに前後方向へ延びるきわめて小さい間隔置きの同一の棒材に対し係止して、大量の短靴を効率よく収容することが可能となる。
【００１３】
その場合、シューズラックにハイヒールを収容するに当たり、靴底の前部とヒール部分直前の後部寄り部分との間にヒール部分による高低差が存在していることから、前後一対のラック片を、その高低差に適した段数違いの各棒材に対し互いの前後方向の間隔が自在に選定された状態で係止し、ハイヒールに適したヒール部分による高低差が選定された状態で収容することで、ヒール部分が高く接地面積が極端に小さいハイヒールであっても、そのハイヒールの靴底の前部とヒール部分直前の後部寄り部分とが前後一対のラック片にそれぞれ載置され、当該各ハイヒールをラックに安定よく収容することができる。しかも、前後一対のラック片を互いの上下方向の高低差が自在に選定された状態で各棒材に対し係止することで、ヒール部分の高いハイヒールを歩行状態のままで見栄えよく収容することができる。
【００１４】
また、各ラック片を、左右のブーツの胴部を前後双方から包持する包持片としても使用可能とし、各棒材に対し互いの前後方向の間隔が自在に選定された状態で係止することで、左右のブーツの胴部を各ラック片（包持片）により前後双方から包持してブーツを立てた状態で収容し、型崩れ及び皺の発生並びに擦れによる傷の発生を抑制しながらブーツを見栄えよく収容することができる。
【００１５】
また、基体の前後方向で互いに対向する前後一対の対向片同士の間に各棒材を配置し、この各棒材に対して各ラック片の基端を左右両側方からそれぞれ係止することで、基体の左右双方向から各ラック片の基端を各棒材に対し係止でき、基体の左右双方の各ラック片に対し靴を収容することができる。
【００１６】
また、各ラック片の基端の上下両位置に前後一対の係止フックをそれぞれ設け、各ラック片の基端の上下両位置における前後の係止フック同士の間隔を、各棒材のうちの単一の棒材に対し基体の左右方向の一方から係止されたラック片の前後の係止フック同士の間に基体の左右方向の他方からの他のラック片の前後のうちのいずれか一方の係止フックが係止されるように設定することで、同一の棒材に対し左右双方向からの各ラック片同士を互いに前後方向でオーバーラップさせた状態で係止することが可能となり、左右両側方からの左右一対の靴の靴底の前部と左右一対の靴のヒール部分又はヒール部分直前の後部寄り部分とをそれぞれ載置するように、前後一対のラック片を互いの前後方向での最適に限りなく近い位置で棒材に対し係止することができ、基体の左右双方向からの靴を効果的に収容することができる。
【００１７】
更に、前後一対のラック片の先端において互いに向き合う方向に湾曲する湾曲部を備えることで、前後一対のラック片の先端同士の間隔が狭められ、胴部を前後双方から包持した左右のブーツの側方（ラック片の先端側）への倒れを防止することができる。
【図面の簡単な説明】
【００１８】
【図１】本発明の実施の形態に係るシューズラックに短靴のみを収容する場合の斜視図である。
【図２】図１のシューズラックに短靴のみを収容した状態での斜視図である。
【図３】図１のシューズラックの基体を左右方向一側から見た側面図である。
【図４】図１のシューズラックの基体に係止される一方のラック片の斜視図である。
【図５】図４のラック片を後方から見た背面図である。
【図６】図４のラック片を上方から見た平面図である。
【図７】図１のシューズラックの基体に係止された一対のラック片を基体の左右方向他側から見た斜視図である。
【図８】図７の一対のラック片を係止した基体の左右方向他側から他の一対のラック片を係止した状態での斜視図である。
【図９】図２のシューズラックにハイヒールを収容した状態で一部切欠いた基体を左右方向一側から見た側面図である。
【図１０】図１のシューズラックにブーツのみを収容する場合の斜視図である。
【図１１】図１０のシューズラックにブーツのみを収容した状態での斜視図である。
【図１２】図１のシューズラックに傘などの収容物を収容した状態での斜視図である。
【図１３】図１のシューズラックに大きさの異なるボールを収容した状態での平面図である。
【図１４】図２のシューズラックにカバーを被せた状態での斜視図である。
【発明を実施するための形態】
【００１９】
以下、本発明の実施の形態に係るシューズラックを図面に基づいて説明する。
【００２０】
図１は本発明の実施の形態に係るシューズラックの斜視図、図２はシューズラックに丈の短い靴のみを収容した状態での斜視図をそれぞれ示している。
【００２１】
図１及び図２に示すように、シューズラック１は、図示しない設置面に立設されたスチール製の基体２と、この基体２に対し取り付けられ、左右一対の靴としての短靴１１，１１，…を個々に載置して格納する複数のラック３，３，…とを備えている。この場合、短靴１１，１１，…とは、ローファー、スリッポンやスニーカー等のような足首までのヒール部分１１１の低い靴を指している。なお、以下の説明では、各ラック３に対し短靴１１，１１，…がそれぞれ同一の方向性を持って載置されるものとし、その各短靴１１の方向性に基づいてシューズラック１の左右方向及び前後方向と称するものとする。
【００２２】
図３は基体２を左右方向一側から見た側面図を示している。この図３において、基体２は、前後方向で互いに対向する前後一対の対向片２１，２１を左右両側に備えた略逆Ｕ字状の基体フレーム２２と、この基体フレーム２２の対向片２１，２１同士の間においてその上下方向に予め設定された間隔ｍ（例えば２６ｍｍ）おきに設けられた複数の棒材２３，２３，…と、基体フレーム２２の下端つまり各対向片２１の下端に対し長手方向中間部がそれぞれ螺着されて両端部が左右方向へ延びる前後一対のフレーム状の脚体２４，２４とを備えている。この各脚体２４の左右方向両端は、互いに離反する前後方向に屈曲されて基体フレーム２２の倒れを効率よく防止している。そして、各脚体２４の左右方向両端には、それぞれの下面に対し下方から螺着されたボルト状のアジャスタ２７が取り付けられ、設置面に対する基体２のガタ付きを調整可能としている。
【００２３】
各棒材２３は、各対向片２１の内側に沿って上下方向へ延びる前後一対の両端支持材２５，２５に対し前後両端が溶着されているとともに、その両端支持材２５，２５同士の間を上下方向へ延びる３本の中間支持材２６，２６，２６に対し長手方向（前後方向）等間隔おきの３箇所がそれぞれ溶着されている。この場合、各棒材２３及び各中間支持材２６の直径ｎは、略２ｍｍに設定されているとともに、各両端支持材２５の直径ｐは、略５ｍｍに設定され、この各両端支持材２５が各対向片２１の内側面に対し上下方向等間隔おきの溶着部２９，２９で溶着されて各棒材２３を前後の対向片２１，２１同士の間に配置されるように取り付けられている。また、各中間支持材２６のうちの両端の中間支持材２６，２６の上端も、基体フレーム２２の底部（上端部）に対し溶着部２９，２９で溶着されている。
【００２４】
各ラック３は、左右一対の短靴１１，１１の靴底の前部と、左右一対の短靴１１，１１のヒール部分１１１とを載置する前後一対のラック片３１，３１（図３では一方のみ示す）を備えている。
【００２５】
図４はシューズラック１の基体２に係止される一方のラック片３１の斜視図、図５は一方のラック片３１を後方から見た背面図、図６は一方のラック片３１を上方から見た平面図をそれぞれ示している。図４〜図６にも示すように、各ラック片３１は、ポリスチレンよりなり、基体２の各棒材２３に対し係止される係止部３２を基端に備えているとともに、この係止部３２に一体成形されて各棒材２３から離反する方向へ先端を延ばしたアーム状に形成されてなる。各ラック片３１は、下方に開口する断面略コ字状に形成されている。また、係止部３２は、各ラック片３１の基端が表面側の上下方向中間部に一体的に突設された上下方向へ長い略矩形平板状に形成されている。更に、係止部３２の裏面側の上下両位置には、前後一対の係止フック３３，３３が一体的に突設されている。この場合、各ラック片３１は、各係止フック３３により各棒材２３に略鉛直面状に係止された係止部３２の表面に対し先端が水平面よりも若干上向きとなるように突設されている。
【００２６】
各ラック片３１の基端の係止部３２の上下両位置における各係止フック３３の幅方向（前後方向）の寸法ｒは、ほぼ５．５ｍｍに設定され、その係止部３２での上下両位置における前後の係止フック３３，３３同士の間隔ｓがほぼ１１ｍｍに設定されている。また、前後一対の係止フック３３，３３は、その上下両位置間ｔがほぼ５０ｍｍに設定されている。また、前後一対のラック片３１，３１には、その先端において互いに向き合う方向に湾曲する湾曲部３９が設けられている。
【００２７】
図７はシューズラック１の基体２に係止された一対のラック片３１，３１を基体２の左右方向他側から見た斜視図、図８は一対のラック片３１，３１を係止した基体２の左右方向他側から他の一対のラック片３１，３１を係止した状態での斜視図をそれぞれ示している。図７に示すように、上下一対の各係止フック３３は、基体２の各棒材２３に対し、上下方向で連続する３つの棒材２３，２３，２３のうちの中央の１つの棒材２３を飛ばした上下両端の２つの棒材２３，２３に対しそれぞれ上方から係止されている。そして、図８に示すように、各ラック片３１は、前後の対向片２１，２１同士の間に配置された基体２の各棒材２３に対し係止部３２の各係止フック３３が基体２の左右双方向から係止可能とされ、基体２の左右双方向の一方からのラック片３１の係止部３２の上下両位置における前後一対の係止フック３３，３３が当該係止フック３３，３３間に中間支持材２６を挟んで各棒材２３に係止されていても、当該各棒材２３に対し、基体２の左右双方向の他方からのフック片３１の係止部３２の上下両位置における前後一対の係止フック３３，３３のうちの一方が中間支持材２６を挟んだ係止フック３３，３３間に係止されるようになっている。
【００２８】
また、基体２に係止される各ラック片３１は、載置して収容されるのが全て短靴１１であるために靴底の前部とヒール部分１１１直前の後部寄り部分との間にヒール部分１１１（図２に表れる）による高低差がほとんど存在しないことから、前後一対のラック片３１，３１はそれぞれ同一の棒材２３に対し互いの前後方向の間隔が自在に選定された状態で係止され、短靴１１に適した高低差が選定された状態で収容されている。そして、上下方向で互いに相隣なる全ての係止フック３３，３３，…は、その係止部３２，３２同士の間に１本の棒材２３又は２本の棒材２３，２３を隔てた状態で、基体２の左右双方向から同一の棒材２３，２３に対し係止部３２の上下両位置の各係止フック３１の一方を互いの係止フック３３，３３同士の間に挟んで係止されている。また、基体２の各脚体２４の間には、各フック片３１上に載置した直後に短靴から落下する滴やゴミなどを受け止める左右一対のトレイ３４，３４が配置されている。この場合、各脚体２４の上面が左右の各トレイ３４の上面がよりも高所に位置しているので、各短靴１１は、左右の各トレイ３４の上方に対応する各脚体２４の間に亘ってそれぞれ載置可能とされている。
【００２９】
図９はシューズラック１にハイヒールを収容した状態で一部切欠いた基体２を左右方向一側から見た側面図である。図９に示すように、シューズラック１にハイヒール１２，１３を収容する場合、基体２に係止される前後一対のラック片３１，３１は、靴底の前部とヒール部分１２１，１３１直前の後部寄り部分との間にヒール部分１２１，１３１による高低差が存在していることから、それぞれの高低差に適した１段違い又は２段違いの棒材２３，２３に対し互いの前後方向の間隔が自在に選定された状態で係止され、それぞれのハイヒール１２，１３をヒール部分１２１，１３１による高低差が選定された状態で収容している。
【００３０】
図１０はシューズラック１にブーツのみを収容する場合の斜視図、図１１はシューズラック１にブーツのみを収容した状態での斜視図をそれぞれ示している。図１０及び図１１に示すように、シューズラック１に胴部の長いブーツ１４，１４，…を収容する場合、基体２に係止される前後一対のラック片３１，３１は、靴底の前部とヒール部分１４１直前の後部寄り部分との間にヒール部分１４１による高低差が存在しているものの、そのヒール部分１４１の先端面積が十分に大きいことから、前後一対のラック片３１，３１は高低差とは無関係に同一の棒材２３に対し互いの前後方向の間隔が自在に選定された状態で係止され、それぞれのブーツ１４，１４，…に適した高低差が選定された状態で収容されている。
【００３１】
また、シューズラック１に胴部の長いブーツ１４，１４，…を収容する場合、各ラック片３１のうちの前後一対のラック片３１，３１は、左右一対のブーツ１４の胴部の上端部付近に対応する同一の棒材２３に対しても互いの前後方向の間隔が自在に選定された状態で係止されている。この場合、前後一対のラック片３１，３１は、左右一対のブーツ１４を胴部の上端部付近において前後双方から包持する包持片としても使用可能とされている。
【００３２】
図１２はシューズラック１に傘などの収容物を収容した状態での斜視図を示している。この図１２において、シューズラック１は、長傘１５１，１５１や折り畳み傘１５２の他、靴べら１６及びキー１７などの収容物を収容可能としている。これらの収容物をシューズラック１に収容する場合、各ラック片３１のうちの前後一対のラック片３１，３１は、互いに長さの異なる長傘１５１，１５１の長さに応じた位置の各棒材２３，２３に段違いで係止されている。この各ラック片３１は、当該各ラック片３１に長傘１５１，１５１の柄が掛け易いように、前後逆転させた向きで各棒材２３，２３に対し互いの前後方向の間隔が自在に選定された状態で係止されている。また、各棒材２３のうちの最上段の棒材２３には、３連フック１８が係止されている。この３連フック１８には、折り畳み傘１５２、靴べら１６及びキー１７などの収容物が係止されて収容されている。この場合、長傘１５１，１５１及び折り畳み傘１５２からの滴をトレイ３４で円滑に受け止めることが可能である。この場合、シューズラック１の左右方向一側においてのみ傘（各長傘１５１、折り畳み傘１５２及び３連フック１８）などの収容物を収容したが、シューズラック１の左右方向他側に靴を収容できるのはいうまでもない。
【００３３】
図１３はシューズラック１に大きさの異なるボールを収容した状態での平面図を示している。この図１３において、シューズラック１は、大きさの異なるボール１９１，１９２，１９３を収容可能としている。これらのボール１９１〜１９３をシューズラック１に収容する場合、各ラック片３１のうちの前後一対のラック片３１，３１は、同一の棒材２３に対し互いの前後方向の間隔が各ボール１９１〜１９３の直径に応じて自在に選定された状態で係止されて各ボール１９１〜１９３を円滑に保持している。この場合、各ラック片３１は、各係止フック３３により各棒材２３に略鉛直面状に係止された係止部３２の表面に対し先端が水平面よりも若干上向きとなるように突設されているので、各ボール１９１〜１９３は各ラック片３１の傾斜によって基端側（係止部３２側）に引き寄せられ、各ボール１９１〜１９３の収容が円滑に行えるようにしている。
【００３４】
図１４はシューズラック１にカバーを被せた状態での斜視図を示している。この図１４において、シューズラック１は、各ラック片３１にそれぞれ短靴１１を収容した状態で外方から覆うカバー３５を備えている。このカバー３５は、基体２の最上段の棒材２３に対し左右双方向から係止した４本のラック片３１，３１，…によって上端が支持され、その下方の各フック片３１にそれぞれ収容した短靴１１を外方から覆うように略矩形のボックス形状に形成されている。
【００３５】
また、カバー３５は、防水生地で作成されている。このカバー３５の周面において互いに対向する２辺には、ファスナ３６（図１４では一方のみ示す）が取り付けられ、カバー３５で覆った状態での短靴１１の出し入れを可能にしている。更に、カバー３５の周面下端の四隅には、ゴムバンド３７が取り付けられ、このゴムバンド３７を各脚体２４の左右方向両端にそれぞれ通して係止することによって、カバー３５の捲れやズレなどを抑制している。
【００３６】
したがって、本実施の形態では、靴底の前部とヒール部分１１１とに高低差がない短靴１１のような左右の靴であれば、靴底の前部とヒール部分１１１とを載置する前後一対のラック片３１，３１が、基体２の上下方向に予め設定された間隔ｍおきに前後方向へ延びるきわめて小さい４つ又は５つおきの同一の棒材２３に対し係止されて、大量の短靴１１，１１，…を効率よく収容することが可能となる。
【００３７】
その場合、シューズラック１にハイヒール１２，１３を収容するに当たり、前後一対のラック片３１，３１は、靴底の前部とヒール部分１２１，１３１直前の後部寄り部分との間にヒール部分１２１，１３１による高低差が存在していることから、前後一対のラック片３１，３１はそれぞれの高低差に適した１段違い又は２段違いの棒材２３，２３に対し互いの前後方向の間隔が自在に選定された状態で係止され、それぞれのハイヒール１２，１３に適したヒール部分１２１，１３１による高低差が選定された状態で収容されているので、ヒール部分１２１，１３１が高く接地面積が極端に小さいハイヒール１２，１３であっても、その左右のハイヒール１２，１３の靴底の前部とヒール部分１２１，１３１直前の後部寄り部分とが前後一対のラック片３１，３１にそれぞれ載置され、当該各ハイヒール１２，１３をラック３に安定よく収容することができる。しかも、前後一対のラック片３１，３１を互いの上下方向の高低差が自在に選定された状態で各棒材２３に対し係止することで、ヒール部分１２１，１３１の高いハイヒール１２，１３を歩行状態のままで見栄えよく収容することができる。
【００３８】
また、各ラック片３１が、左右のブーツ１４，１４の胴部の上端部付近を前後双方から包持する包持片としても使用可能とされ、各棒材２３に対し互いの前後方向の間隔が自在に選定された状態で係止されているので、左右のブーツ１４，１４の胴部を各ラック片３１（包持片）により前後双方から包持してブーツ１４を立てた状態で収容し、型崩れ及び皺の発生並びに擦れによる傷の発生を抑制しながらブーツ１４を見栄えよく収容することができる。
【００３９】
また、基体２の前後方向で互いに対向する基体フレーム２２の前後一対の対向片２１，２１同士の間に各棒材２３を配置し、この各棒材２３に対して各ラック片３１基端の係止部３２の各係止フック３３を左右両側方からそれぞれ係止することで、基体２の左右双方向から各ラック片３１基端の各係止フック３３を各棒材２３に対し係止でき、基体２の左右双方の各ラック３に対し短靴１１、ハイヒール１２，１３及びブーツ１４を収容することができる。
【００４０】
また、各ラック片３１基端の係止部３２の上下両位置に前後一対の係止フック３３，３３，…をそれぞれ設け、各ラック片３１の係止部３２の上下両位置における前後の係止フック３３，３３同士の間隔ｓが、各棒材２３のうちの単一の棒材２３に対し左右方向の一方から係止されたラック片３１の前後の係止フック３３，３３同士の間において左右方向の他方からの他のラック片３１の前後のうちのいずれか一方の係止フック３３が係止されるように、幅方向（前後方向）の寸法ｒがほぼ５．５ｍｍに設定された各係止フック３３の２倍のほぼ１１ｍｍに設定されているので、同一の棒材２３に対し左右双方向からの各ラック片３１同士を互いに前後方向でオーバーラップさせた状態で係止することが可能となり、左右両側方からの左右一対の靴１１〜１４の靴底の前部とヒール部分１１１，１４１又はヒール部分１２１，１３１直前の後部寄り部分とをそれぞれ載置するように、前後一対のラック片３１、３１を互いの前後方向での最適に限りなく近い位置で棒材２３に対し係止することができ、基体２の左右双方向からの靴１１〜１４を効果的に収容することができる。
【００４１】
更に、前後一対のラック片３１，３１の先端において互いに向き合う方向に湾曲する湾曲部３９が設けられているので、前後一対のラック片３１，３１の先端同士の間隔が狭められ、胴部を前後双方から包持した左右のブーツ１４，１４の側方（ラック片３１の先端側）への倒れを防止することができる。
【００４２】
なお、本発明は、前記実施の形態に限定されるものではなく、その他種々の変形例を包含している。例えば、前記実施の形態では、短靴１１、ハイヒール１２，１３、ブーツ１４、長傘１５１，１５１や折り畳み傘１５２の他に靴べら１６及びキー１７などの収容物、又は大きさの異なるボール１９１，１９２，１９３をそれぞれ単独で各ラック片３１に収容した場合について述べたが、これらが複合的に各ラック片に収容されていてもよく、その場合、長傘、折り畳み傘、靴べら及びキーなどの収容物、並びに大きさの異なる各ボールは、短靴、ハイヒール及びブーツのいずれかと組み合わされて収容されていればよい。
【符号の説明】
【００４３】
１          シューズラック
１１        短靴（靴）
１２，１３  ハイヒール（靴）
１４        ブーツ（靴）
２          基体
２１        対向片
２３        棒材
３          ラック
３１        ラック片
３３        係止フック
３９        湾曲部
ｓ          前後の係止フック同士の間隔
【図１】
2016106980.tif 000003
【図２】
2016106980.tif 000004
【図３】
2016106980.tif 000005
【図４】
2016106980.tif 000006
【図５】
2016106980.tif 000007
【図６】
2016106980.tif 000008
【図７】
2016106980.tif 000009
【図８】
2016106980.tif 000010
【図９】
2016106980.tif 000011
【図１０】
2016106980.tif 000012
【図１１】
2016106980.tif 000013
【図１２】
2016106980.tif 000014
【図１３】
2016106980.tif 000015
【図１４】
2016106980.tif 000016